(57)【要約】【課題】  素人にも使いやすく、片手で高い防御力を発揮出来る護身具を提供する。  従来の警棒よりも防御に重点を置き、従来の盾よりも小型で軽量、かつ物々しくない外見にする。【解決手段】  防護用の板にその面から垂直に柄を取り付けて、片手で扱える盾とする。  柄の部分を可倒式とし、板部分を伸縮可能にする事で小型化出来るようにし、収納や設置、携行を容易する。【選択図】図１
2009036507.tif 000002
【特許請求の範囲】
【請求項１】
こぶしから前腕部までを覆う大きさと、バット等による打撃や刃物等による突きや斬りつけに耐えうる強度と、軽さを兼ね備えた板状の防護体の片面に、垂直に取り付けた柄を有し、盾としての機能を持たせた護身具。
【請求項２】
柄を可倒式とする、または板状の防護体を伸縮可能とする、更にはそれら両方の機能を持たせる事で、携行や収納に利便性を持たせた事を特徴とする、請求項１記載の護身具。
【発明の詳細な説明】
【技術分野】
【０００１】  本発明は、防備に重点を置いた護身具に関するものである。
【背景技術】
【０００２】  現在、警察等で使用する警棒は単純な棒状の物である。【０００３】  鍔の付いた警棒や、棒部分に垂直に柄を取り付けた古武道の武具であるトンファーの形をした警棒もあるが、相手に対する部分が棒状である事に変わりはない。【０００４】  最近では、携行性を重視するとともに攻撃力の低減化や威圧的な外見を軽減する事を目的としてか、伸縮式にするなどして小型化し実用性を軽視する傾向が伺える。【０００５】
【特許文献１】  特開平０７−００４８９３
【０００６】
【特許文献２】  特開平０５−３０６８９７
【０００７】
【特許文献３】  特開平０５−２８０８９６
【０００８】
【特許文献４】  特開２００７−１０２９５
【０００９】
【特許文献５】  特開２００４−１３８３７４
【００１０】
【特許文献６】  特開２０００−３５２９８
【発明の開示】
【解決しようとする課題】
【００１１】  従来の警棒は単なる棒状であり、相手の攻撃を防ぐのはかなり高度な技術を要する。鍔を付けた警棒も存在するが、刃物による突きや、バット、鉄パイプ、木刀等を振り回す相手に対しては、熟練者でさえ相当のリスクを伴う。
【００１２】  また最近では治安の悪化に伴い、学校等でも不審者対策の必要性にせまられ避難訓練や防犯活動が盛んになってきているが、有事の際の防具はホウキやモップや傘の類か、せいぜいサスマタぐらいの物しかなく、従来の警棒を常設していたところで、女性やこういった事に不慣れな職員が多い職場においては殆ど無力に等しく、自身や周囲の者を守り抜く事は難しい。
【００１３】  防御に重点を置いた、小型で携行しやすく使いやすい護身具が存在しない。
【課題解決の手段】
【００１４】  線で防ぐより面で防ぐ方が有効であるとの考えから、こぶしから前腕部までを覆う大きさと、バット等による打撃や刃物等による突きや斬りつけに耐えうる強度と、軽さを兼ね備えた板状の防護体の片面に、垂直に取り付けた柄を有し、盾としての機能を持たせて防御力を向上させた護身具にする。
【００１５】  上記の本発明にかかる護身具の、柄を可倒式とする、または板状の防護体を伸縮可能とする、更にはそれら両方の機能を持たせる事で、携行や収納に利便性を持たせる。
【００１６】  防護体の材質は、金属や強化プラスチック、ポリカーボネート等、軽量で強靭な素材を用いる。
【発明の効果】
【００１７】  本発明の護身具は従来の警棒よりも幅のある防護体で、しかも従来の盾より小型で軽量かつ片手で自在に操れるため、相手の攻撃を防ぎやすく身を守りやすい。
【００１８】  特に女性や、武道等の経験が無い者でも片手だけで高い防御力を発揮出来るため、被害防止と軽減に役立つ。
【００１９】  片手に本発明の護身具をかざし、もう一方の手に従来の警棒を持てば、攻撃力と防御力が格段に向上し犯人の逮捕や撃退にも役立つ。
【００２０】  本発明を単体で用いても訓練次第で従来の警棒を凌ぐ攻撃力をも発揮出来るので、高い防御力と攻撃力で犯人逮捕や撃退に有効である。
【００２１】  柄を倒したり防護体を縮めたり出来るので場所をとらず、使用環境に合わせて設置または収納する事が可能である。
【００２２】  警備にあたる者がこれを携行する際、かさばったり、あるいは他者に威圧感を与えるような物々しい外見になるなどして支障が生じる事の無いよう、常日頃はコンパクトに携行出来て、有事の際には瞬時に臨戦態勢がとれる理想的な護身具を提供出来る。
【発明を実施するための最良の形態】
【００２３】  本発明の護身具は、図１〜３に示されるように板状の防護体の中心よりも片側寄りの位置に柄を垂直に取り付け、手から柄が滑り落ちる事を防止するための引っかかり部分１を柄の先端に設けた形状である。【００２４】  図４〜６に示すように片手で持って構える。その際、前腕部及びこぶし部分が防護体に隠れる程の大きさと形状になっている。幅役１２センチメートル、長さ役４５センチメートル位が理想である。【００２５】  防護体の形状は、本実施形態においては長方形で表記してあるが、楕円形多角形を問わない。【００２６】  柄の長さは１０センチメートル位、太さは２〜３センチ位が良いが、この数字に限定されるものではない。【００２７】  太さは、握りやすく、握った状態で握力を緩めて柄を支点に防護体を旋回させるのに支障の無い程度とし、円柱であることを基本とするが、完全な円柱である必要はなく、使い勝手に合わせて太さに差を持たせてもよい。【００２８】  相手の攻撃を防護体で盾のように受け止めるか、又は図１の２部分で突くか、柄を支点にして防護体を旋回させ３部分で打つ、払うなどして防ぐ。【００２９】  防護体の材質は、金属、木材、強化プラスチック、ポリカーボネート等、刃物を通さず衝撃にも耐えうる軽くて強靭な素材である事が必要である。重さは７００グラムを超えない事が望ましい。【００３０】  防護体の厚さは均一である必要はないが、２〜３センチメートル以内が望ましい。【００３１】  防護体の伸縮方法は図９に示すように入れ子式とし、先端に引き出すための引っかかり部分４をつける。【００３２】  柄を畳む仕組みは、図１０〜２５に示すように支点の位置の違いによる三通りの方法がある。いずれの方法を用いても構わない。【００３３】  図１０に示すように、柄に５部分を設けてＬ字型とする。その方法はＬ字型の一体成型とするか、金属等によって作った５部分を柄に固定する事によってＬ字型の形状にするかのどちらでもよい。いずれの場合も、点Ｇにシャフト等を通すための穴を設ける。【００３４】  図１１、１２に示すように、防護体の柄を付ける場所に、柄の５部分がちょうど入る溝を設ける。【００３５】  図１３に示すように、柄を防護体の溝にはめ込み、点Ｇを支点に柄が防護体の伸縮する側に倒れるように、点Ｇを通して柄と防護体とをシャフト等で連結する。図１４は、この方法で連結した柄を倒した状態を示している。【００３６】  この方法は、支点が防護体の中にある事を特徴とする。【００３７】  図１５に示すように、防護体の柄を付ける場所に突起物６を設ける。その方法は、防護体と一体成型とするか、金属その他で６部分と同じものを作り防護体に固定する事によって図と同じ形状にするかのどちらでもよい。【００３８】  柄は、図１６に示すように下部に６をはめ込むための切れ込みを設け、倒れる側を丸く削り、点Ｇにシャフト等を通す穴を設ける。【００３９】  図１８に示すように柄を防護体の６に接合させ、点Ｇにシャフト等を通して連結させる。図１９は柄が防護体と繋ぎ合わされた状態を真横から見た図であり、図２０は点Ｇを支店に柄を倒した状態を表した図である。【００４０】  本実施形態では、柄に切れ込みを設けて防護体側の６を柄で挟む方法を示したが、図２１にあるように凸と凹を逆にし、防護体側の６を切れ込みのある形状にして柄を挟み込む方法でもよい。【００４１】  この方法は、支点が柄の中にある事を特徴とする。【００４２】  図２２に示すように防護体に蝶番が収まる程度の窪みを設け、蝶番の一方をその窪みに入れて防護体と固定し、もう一方は柄の底面に固定する。【００４３】  図２３は、上記の方法で柄を固定した状態を真横から見た図である。図２４は、そのまま点Ｇを支点にして柄を倒した状態の図である。【００４４】  本実施形態では、柄と防護体とを独立した一個の蝶番で繋ぐ方法を示したが、蝶番を使わずとも、図１７に示すように柄と防護体それぞれに支点になる部分８を設け、互いの点Ｇをシャフト等で連結させる方法でもよい。【００４５】  この方法は、支点が柄と防護体の間にある事を特徴とする。
【図面の簡単な説明】
【００４６】
【図１】本発明にかかる護身具の外観図である。
【図２】同発明を、柄の先端部分側から見た図である。
【図３】同発明を、柄を上にして真横から見た図である。
【図４】同発明の持ち方。左手で持ったところを手の甲側から見た図である。
【図５】図４に示した持ち方を手のひら側から見た図である。
【図６】左手に持って構えた姿を正面から見た図である。
【図７】柄を可倒式にし、防護体を伸縮可能にした、本発明の外観図である。
【図８】同発明の防護体を縮め、柄を倒した状態の外観図である。
【図９】伸縮させるため入れ子式にした防護体の断面図である。
【図１０】Ｌ字型に加工した柄の図である。
【図１１】溝を設けた防護体の図である。
【図１２】図１１を真横から見た断面の図である。
【図１３】図１１の溝に図１０の柄を取り付けた状態の図である。
【図１４】図１３の、柄を倒した状態の図である。
【図１５】突起物６を設けた防護体の図である。
【図１６】切れ込みを設け、下部を丸く削った柄の図である。
【図１７】蝶番を使わずに柄と防護体とを連結させる方法である。
【図１８】防護体の突起物６に柄を取り付けるところを示した図である。
【図１９】図１８の方法で柄を取り付けた状態を真横から見た図である。
【図２０】図１９の、柄を倒した状態である。
【図２１】図１８に示した方法と凹凸を逆にした取り付け方である。
【図２２】蝶番を使って防護体に柄を取り付ける図である。
【図２３】蝶番を使って柄を取り付けた状態を真横から見た図である。
【図２４】図２３の柄を倒した状態である。
【符号の説明】
【００４７】ａ・・・伸縮しない防護体。
ｂ・・・可倒式ではない柄。
ｄ・・・伸縮可能な防護体の本体。
ｅ・・・伸縮可能な防護体の入れ子部分、大。
ｆ・・・伸縮可能な防護体の入れ子部分、中。
ｇ・・・伸縮可能な防護体の入れ子部分、小。
ｈ・・・可倒式の柄。
ｉ・・・蝶番。
１・・・引っかかり部分。
２・・・防護体の先端部。
３・・・防護体の側面部。
５・・・可倒式にした柄の末端部分。
６・・・柄を連結させるための、防護体側の突起部分。
８・・・蝶番の代わりに、柄と防護体に設ける接合部分。
Ｇ・・・柄が倒れるための支点。
【図１】
2009036507.tif 000003
【図２】
2009036507.tif 000004
【図３】
2009036507.tif 000005
【図４】
2009036507.tif 000006
【図５】
2009036507.tif 000007
【図６】
2009036507.tif 000008
【図７】
2009036507.tif 000009
【図８】
2009036507.tif 000010
【図９】
2009036507.tif 000011
【図１０】
2009036507.tif 000012
【図１１】
2009036507.tif 000013
【図１２】
2009036507.tif 000014
【図１３】
2009036507.tif 000015
【図１４】
2009036507.tif 000016
【図１５】
2009036507.tif 000017
【図１６】
2009036507.tif 000018
【図１７】
2009036507.tif 000019
【図１８】
2009036507.tif 000020
【図１９】
2009036507.tif 000021
【図２０】
2009036507.tif 000022
【図２１】
2009036507.tif 000023
【図２２】
2009036507.tif 000024
【図２３】
2009036507.tif 000025
【図２４】
2009036507.tif 000026